(57)【要約】【課題】ロック解除用のレバーが確実に動作する充電コネクタ装置を提供することを目的とする。【解決手段】充電ガンが接続される充電インレット１０と、充電インレット１０の上面に設けられ、接続された充電ガンをロックするロック機構２０と、ロック機構２０に設けられ、使用者の操作によってロックを解除するロック解除機構３０とを備え、ロック解除機構３０は、水平方向に延びるスライダー３１と、スライダー３１の下面に設けられたレバー３２とを備える。【選択図】図１
2016100118.tif 000002
【特許請求の範囲】
【請求項１】
充電ガンが接続される充電コネクタと、
前記充電コネクタの上面に設けられ、接続された充電ガンをロックするロック機構と、
前記ロック機構に設けられ、使用者の操作によってロックを解除するロック解除機構とを備え、
前記ロック解除機構は、水平方向に延びるスライダーと、前記スライダーの下面に設けられたレバーとを備える、充電コネクタ装置。
【発明の詳細な説明】
【技術分野】
【０００１】
この発明は、充電コネクタ装置に関し、より特定的には車両に設けられる充電コネクタ装置に関するものである。
【背景技術】
【０００２】
従来、充電口の構造は、たとえば特開２０１２−２３２７０７号公報（特許文献１）に開示されている。
【先行技術文献】
【特許文献】
【０００３】
【特許文献１】特開２０１２−２３２７０７号公報
【発明の概要】
【発明が解決しようとする課題】
【０００４】
上記公報に記載された充電口構造は、充電ガンが接続される充電プラグと、充電プラグを開閉するリッドと、接続された充電ガンをロックするロック機構と、このロック機構のロックを解除するロック解除レバーとを備える。
【０００５】
上記の公報には、ロック解除レバーの搭載位置について記載されていない。たとえば、充電プラグの上面にロック解除レバーを配置することが考えられる。しかし、上記のようにロック解除レバーを配置すると、上方から塵、埃、水などが落ちてきて、ロック解除したいときに、レバーが良好に動かないという可能性がある。
【０００６】
そこで、この発明は上述の課題を解決するためになされたものであり、ロック解除用のレバーが確実に動作する充電コネクタ装置を提供することを目的とするものである。
【課題を解決するための手段】
【０００７】
この発明に従った充電コネクタ装置は、充電ガンが接続される充電コネクタと、充電コネクタの上面に設けられ、接続された充電ガンをロックするロック機構と、ロック機構に設けられ、使用者の操作によってロックを解除するロック解除機構とを備え、ロック解除機構は、水平方向に延びるスライダーと、スライダーの下面に設けられたレバーとを備える。
【０００８】
このように構成された充電コネクタ装置では、スライダーの下面にレバーが設けられているので、埃、塵、水などの異物がレバーおよびその周囲に溜まり、不具合が生じることを抑制することができる。
【図面の簡単な説明】
【０００９】
【図１】実施の形態に従った充電コネクタ装置の斜視図である。
【図２】図１中の矢印ＩＩで示す方向から見た正面図である。
【図３】図２中のＩＩＩ−ＩＩＩ線に沿った断面図である。
【図４】実施の形態に従った充電コネクタ装置の背面図である。
【図５】実施の形態に従った充電コネクタ装置の使用状態を示す斜視図である。
【図６】車室内から見た実施の形態に従った充電コネクタ装置の背面図である。
【図７】充電ガンをロックするロック機構とロックを解除するための解除機構とを示す平面図である。
【図８】充電ガンをロックするロック機構とロックを解除するための解除機構とを示す背面図である。
【図９】充電ガンをロックするロック機構とロックを解除するための解除機構とを示す側面図である。
【図１０】比較例に従った充電コネクタ装置の斜視図である。
【図１１】比較例に従った充電コネクタ装置の使用状態を示す斜視図である。
【発明を実施するための形態】
【００１０】
以下、この発明の実施の形態について図面を参照して説明する。
図１から４を参照して、実施の形態では、防塵、防水性能が向上するケーブルロック緊急解除構造を提案する。充電コネクタ装置１は、充電ガン５０を受け入れる充電コネクタとしての充電インレット１０、充電インレット１０に挿入された充電ガン５０をロックして充電ガン５０が充電インレット１０から外れることを防止するロック機構２０および緊急時にロックを解除するためのロック解除機構３０とを備える。
【００１１】
ロック解除機構３０は、スライダー３１と、スライダー３１に沿って移動可能なレバー３２とを備える。レバー３２を矢印３３で示す方向に移動させてレバー３２が二点鎖線で示す位置まで移動すると、充電インレット１０への充電ガン５０のロックが解除された状態となる。
【００１２】
ロック解除機構３０は、水平方向に延びるスライダー３１と、スライダー３１の下面に設けられたレバー３２とを備える、緊急解除スライド操作構造としてのロック解除機構３０において、操作ノブとしてのレバー３２、およびノブ開口部（可動範囲）としてのスライダー３１の開口３５を車両下側に向けることで車両上側から降ってくるゴミ、埃、水などの粒子２００の侵入を防ぐ構造とした。また、レバー３２が下側に向いていることで、搭載性・アクセス性も向上する
車両上側から粒子２００を構成するゴミ、埃、水は降ってくるが粒子２００はスライダー３１の上面に到達するのみであって、開口３５に入ることがない。緊急解除操作ノブとしてのレバー３２は実線で示された位置がロック位置であり、二点鎖線で示された位置がアンロック位置である。使用者の操作によってロックを解除することが可能である。
【００１３】
ロック機構２０は電気的な動作を用いることで充電インレット１０に嵌合した充電ガン５０をロックすることが可能である。なお、ロック機構は電気的な動作でなく機械的な動作で充電ガンをロックしてもよい。ロック機構２０は、充電インレット１０の上面に設けられ、接続された充電ガン５０をロックする。
【００１４】
図３で示されるように、ロック機構２０およびロック解除機構３０は車両の外板８０よりも内側に設けられる。外板８０は、前後左右のフェンダー、ボンネットなどの部材である。
【００１５】
車室７０とロック機構２０およびロック解除機構３０との間には内装材６０が設けられており、内装材６０に設けられた窓６１からロック機構２０およびロック解除機構３０が露出している。
【００１６】
図５で示されるように、ロックを解除する場合には使用者１００の指１０１をレバー３２に係合させてレバー３２を二点鎖線で示す位置まで移動させる。するとロック機構２０による充電ガン５０のロックが解除される。
【００１７】
図６を参照して、内装材６０の窓６１からはレバー３２が見える。そのため、使用者は緊急的に充電ガン５０のロックを外す必要がある場合には窓６１からレバー３２を見て、このレバー３２に指を係合させることでロックを解除することが可能となる。
【００１８】
図７から９を参照して、ロック解除機構３０のスライダー３１は円弧形状とされる。なお、スライダー３１は必ずしも円弧形状である必要はなく、直線状、楕円状など操作しやすい形状であればよい。
【００１９】
ロック機構２０の凸部２５が充電インレット１０に嵌合する。この実施の形態ではロック機構２０の上側にロック解除機構３０が設けられているが、これらの配置は図示されたものに限られず、ロック機構２０が上側に設けられてロック解除機構３０が下型に設けられていてもよい。
【００２０】
図１０および１１を参照して、スライダー３１の上面にロック解除用のレバー３２を配置することが考えられる。しかし、レバー３２を上側に配置すると、上方から塵、埃、水などの粒子２００が落ちてきて、ロック解除したいときに、レバー３２が良好に動かないという可能性がある。
【００２１】
さらに、緊急解除スライド操作構造において、レバー３２、および開口３５（可動範囲）が車両上側を向いていると、車両上側から降ってくるゴミ、埃、水の粒子２００の侵入により、異物介在による摺動不良、または被水短絡による導通不良が懸念される。また、緊急解除操作時に、車両周辺部品の存在により、ハンドスペースがなく、操作できない。
【００２２】
これに対して、レバー３２、および開口３５（可動範囲）を車両下側に向けることで
車両上側から降ってくるゴミ、埃、水の粒子２００侵入を防ぐ構造とした。また、車両周辺部品の干渉影響を受けにくく、搭載時の隙確保、ハンドスペース確保が容易となる。
【００２３】
すなわち、実施の形態に従った充電コネクタ装置では、以下の効果を奏することができる。
【００２４】
（１）緊急解除操作のための開口３５が車両下向きでの配置される。車両上側から降ってくるゴミ、埃、水などの粒子２００はスライダー３１上面で保護されることにより防塵、防水性能が向上する。
【００２５】
（２）車両搭載位置が上側にあってもノブが下向きのため、操作可能となる。その結果、緊急解除操作部へ、搭載位置によらずアクセスが可能となる。
【００２６】
（３）緊急解除操作時のハンドスペース制約緩和による車両搭載性が向上する。
（４）車両搭載位置が上側にあってもノブが下向きのため、操作可能となる。そのため、アクセス可能な別部品（緊急解除ワイヤーなど）が不要である。その結果、コストダウンを図ることができる。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００２８】
１  充電コネクタ装置、１０  充電インレット、２０  ロック機構、２５  凸部、３０  ロック解除機構、３１  スライダー、３２  レバー、３５  開口、５０  充電ガン、６０  内装材、６１  窓、７０  車室、８０  外板、１００  使用者、１０１  指、２００  粒子。
【図１】
2016100118.tif 000003
【図２】
2016100118.tif 000004
【図３】
2016100118.tif 000005
【図４】
2016100118.tif 000006
【図５】
2016100118.tif 000007
【図６】
2016100118.tif 000008
【図１０】
2016100118.tif 000009
【図１１】
2016100118.tif 000010
【図７】
2016100118.tif 000011
【図８】
2016100118.tif 000012
【図９】
2016100118.tif 000013